(57)【特許請求の範囲】
【請求項１】
通信回線と、
メモリ部と、出力部と、外部操作される入力部と、前記通信回線を介して情報を送受信する送受信部とを有する情報処理装置と、
中継装置と、
前記中継装置と接続されて通信する情報送受信部を有し、且つ料理を加熱調理するために加熱動作をする電子レンジと、
前記通信回線に接続されて、前記出力部に表示されるホームページ画面に対応したホームページ情報が格納される情報格納部を有し、前記情報処理装置によりアクセスされて読み出したホームページ情報を前記情報処理装置に送信するホストコンピュータとを備え、
前記ホームページ情報には、
複数の料理に関する情報と、料理を加熱調理するための前記電子レンジの異機種間で共通の加熱制御コードを含む前記複数の料理のそれぞれに対応した料理データと、前記料理データを前記通信回線を経由して前記情報処理装置に転送するために前記入力部を介して操作される転送指示ボタンの情報とが含まれて、
前記中継装置は、前記情報処理装置および前記電子レンジとは別体であり、
前記情報処理装置に着脱可能であって、前記情報処理装置との間でデータを授受するための送受信部と、
前記情報処理装置の前記メモリ部から読出されて前記送受信部を介して受信した１つ以上の前記料理のそれぞれに対応した前記料理データが格納される不揮発性記憶部と、
前記電子レンジに着脱可能であって、前記電子レンジとの間でＵＡＲＴを用いてデータの授受を行なうためのインタフェース部と、
前記不揮発性記憶部から前記料理データの加熱制御コードを読出し、前記インタフェース部を介して前記電子レンジに送信する手段とを、含み、
前記電子レンジは、
該電子レンジの機種に適合した加熱動作の手順を示して、前記加熱制御コードにより特定される手順情報が複数種類格納された手順格納手段を有して、
前記ホームページ情報の複数の料理のうちの所望料理を加熱調理する際には、前記中継装置を介して前記情報処理装置から供給された該所望料理の前記加熱制御コードに基づいて、前記手順格納手段から読出された１種類以上の前記手順情報に従い、前記加熱動作を実行し、
前記複数種類の手順情報には、１種類以上の加熱シーケンス情報が含まれて、
前記加熱シーケンス情報は、前記加熱動作を実行するための該電子レンジの機種に適合した１種類以上のシーケンスの組合わせからなり、
前記加熱シーケンス情報により示される前記１種類以上のシーケンスの組み合わせは、前記シーケンスを制御するための１種類以上のパラメータを含み、前記１種類以上のパラメータの値は、指示された任意量に従い可変調整されることを特徴とする、電子レンジシステム。
【請求項２】
前記電子レンジはさらに、
移動自在なヒータを有して、
前記複数種類の手順情報には、前記ヒータの移動量を指示する情報が含まれることを特徴とする、請求項１に記載の電子レンジシステム。
【請求項３】
前記電子レンジはさらに、
該電子レンジで加熱調理可能な１つ以上の料理のそれぞれに対応して、前記加熱制御コードが予め書込まれた加熱制御コード格納手段を有して、
前記１つ以上の料理のうちから選択された所定料理を加熱調理する際には、前記加熱制御コード格納手段から読出された該所定料理に対応の前記加熱制御コードに基づいて、前記手順格納手段から読出された１種類以上の前記手順情報に従い、前記加熱動作を実行することを特徴とする、請求項１または２に記載の電子レンジシステム。
【請求項４】
前記加熱制御コード格納手段には、選択された料理に対応の前記加熱制御コードは、該選択料理と対応付けられて任意に追加して格納されることを特徴とする、請求項３に記載の電子レンジシステム。
【請求項５】
前記選択料理は、前記ホームページ情報の複数の料理のうちの所望料理であることを特徴とする、請求項４に記載の電子レンジシステム。
【発明の詳細な説明】
【０００１】
【発明の属する技術分野】
この発明は電子レンジシステムと電子レンジに関して、特に、通信回線を介して受信した情報に基づいて動作する電子レンジシステムと該電子レンジシステムに適用することができる電子レンジに関する。
【０００２】
【従来の技術および発明が解決しようとする課題】
外部の通信ネットワークから与えられる情報に従って家庭機器を制御する装置が特開平１０−２７６４７８号公報に開示される。この公報では、家庭内の各種の家電機器を含んで、これを制御する家電機器制御装置においてインターネット、家電機器制御のサーバおよびリモコンを介して各家電機器がホームページのホストコンピュータから該機器の制御情報を取込んで、これに従い機能を達成する技術が示される。
【０００３】
この公報では、制御情報が調理に関する調理情報である場合も述べられているが、ユーザが所望するような調理情報をホームページから入手して、家電機器である電子レンジに供給して、該電子レンジにてどのように加熱調理のための処理が行なわれるかの具体的なものが何ら示されていなくて、極めて実現性および実用性に乏しいといえる。
【０００４】
それぞれゆえにこの発明の目的は、実用性優れた電子レンジシステムおよび電子レンジを提供することである。
【０００５】
【課題を解決するための手段】
この発明のある局面に係る電子レンジシステムは、通信回線と、情報処理装置と、情報処理装置と通信する電子レンジと、ホストコンピュータとを備える。
【０００６】
情報処理装置は、出力部と、外部操作される入力部と、通信回線を介して情報を送受信する送受信部と、送受信部により受信された情報を含む各種情報を記憶するための情報記憶部とを有する。
【０００７】
ホストコンピュータは、通信回線に接続されて、出力部に表示されるホームページ画面に対応したホームページ情報が格納される情報格納部を有する。
【０００８】
ホームページ情報には、複数の料理に関する情報と、料理を加熱調理するために電子レンジの異なる機種間に共通した加熱制御コードを含む複数の料理のそれぞれに対応した料理データと、料理データを通信回線を経由して情報処理装置に転送するために入力部を介して操作される転送指示ボタンの情報とが含まれる。
【０００９】
電子レンジは、加熱動作を実行するための該電子レンジの機種に適合した手順を示して、加熱制御データにより特定される手順情報が複数種類格納された手順格納手段を有して、ホームページ情報の複数の料理のうちの所望料理を加熱調理する際には、情報処理装置から供給される該所望料理に対応の加熱制御コードに基づいて手順格納手段から読出された１種類以上の手順情報に従い加熱動作を実行する。
【００１０】
また、この発明の他の局面に係る電子レンジシステムは、通信回線と、情報処理装置と、料理を加熱調理するために加熱動作する電子レンジと、中継装置と、ホストコンピュータとを備える。
【００１１】
情報処理装置は、出力部と、外部操作される入力部と、通信回線を介して情報を送受信する送受信部とを有する。中継装置は、情報記憶部を有して、電子レンジと情報処理装置との間で伝送される情報を中継するために、一方端に電子レンジが、および他方端に情報処理装置がそれぞれ接続される。ホストコンピュータは、通信回線に接続されて、出力部に表示されるホームページ画面に対応したホームページ情報が格納される情報格納部を有する。
【００１２】
ホームページ情報には、複数の料理に関する情報と、料理を加熱調理するための電子レンジの異機種間で共通の加熱制御コードを含む複数の料理のそれぞれに対応した料理データと、料理データを通信回線を経由して情報処理装置に転送するために入力部を介して操作される転送指示ボタンの情報とが含まれる。
【００１３】
電子レンジは、加熱動作を実行するための該電子レンジの機種に適合した手順を示し、加熱制御コードにより特定される手順情報が複数種類格納された手順格納手段を有して、ホームページ情報の複数の料理のうちの所望料理を加熱調理する際には、中継装置を介して情報処理装置から供給された該所望料理の加熱制御コードに基づいて、手順格納手段から読出された１種類以上の手順情報に従い、加熱動作を実行する。
これら電子レンジシステムでは、複数種類の手順情報には、１種類以上の加熱シーケンス情報が含まれて、加熱シーケンス情報は、加熱動作を実行するための該電子レンジの機種に適合した１種類以上のシーケンスの組合わせからなり、加熱シーケンス情報により示される１種類以上のシーケンスの組み合わせは、シーケンスを制御するための１種類以上のパラメータを含み、１種類以上のパラメータの値は、指示された任意量に従い可変調整される。
【００１４】
上述の電子レンジシステムでは、ホームページ情報の複数料理のそれぞれの料理データは、電子レンジの異なる機種間に共通する加熱制御コードを含む。そして、各機種の電子レンジにおいて、ホームページ情報の複数料理のうちの所望料理が加熱調理される際には、供給された該所望料理の加熱制御コードにより特定されながら手順格納手段から読出された１種類以上の手順情報に従い、加熱動作が実行される。
【００１５】
したがって、電子レンジにダウンロードする新たな料理の料理データをホストコンピュータ側で開発する際には、電子レンジの１つの機種において該料理の加熱動作に適用される１種類以上の手順情報を特定する加熱制御コードを決定して該料理の料理データに登録するだけで良く、各機種に適合した複数種類の加熱情報などを準備する必要はなくなるから、ホストコンピュータ側における料理データの作成、ならびにホームぺージ情報の作成が容易となり、実用的である。
【００１６】
このようなことから、該電子レンジシステムに適用される電子レンジの機種が増えたとしても、ホームページ情報におけるある料理の料理データの加熱制御コードは１種類だけでよいから、ホストコンピュータにおいてホームページ情報のためのメモリ拡張は必要とされない。
【００１７】
また、電子レンジでは、加熱動作を実行するために加熱制御コードにより特定される手順情報は、該電子レンジの機種に適合した手順を示すものであるから、常に、各機種独自の最適の手順に従い加熱調理を行なうことができて実用性に優れる。
【００１８】
上述の電子レンジシステムにおいて、電子レンジはさらに、移動自在なヒータを有して、複数種類の手順情報には、ヒータの移動量を指示する情報が含まれてもよい。
【００１９】
したがって、電子レンジで加熱調理が行なわれる際には、ヒータの移動量は、物理的な値でなくて、加熱制御コードにより特定することができて、ヒータの移動を伴う料理の料理データの容量を小さくできて、データの供給（ダウンロード）を速やかに行なうことができる。
【００２０】
上述の電子レンジシステムでは、電子レンジはさらに、該電子レンジで加熱調理可能な１つ以上の料理のそれぞれに対応して、加熱制御コードが予め書込まれた加熱制御コード格納手段を有して、１つ以上の料理のうちから選択された所定料理を加熱調理する際には、加熱制御コード格納手段から読出された該所定料理に対応の加熱制御コードに基づいて、手順格納手段から読出された１種類以上の手順情報に従い、加熱動作を実行するように構成されてもよい。
【００２１】
したがって、電子レンジでは、ホストコンピュータのホームページ情報から供給（ダウンロード）された加熱制御コードのみならず、内部の加熱制御コード格納手段に格納されていた所定料理に対応の加熱制御コードを用いて、上述と同様にして、該所定料理を該機種独自の最適の手順に従い加熱調理できる。
【００２２】
上述の電子レンジシステムにおいては、加熱制御コード格納手段には、選択された料理に対応の加熱制御コードは、該選択料理と対応付けられて任意に追加して格納されるように構成されてもよい。
【００２３】
したがって、電子レンジでは、該電子レンジで加熱調理可能な１つ以上の料理の中から選択された料理に対応の加熱制御コードは、加熱制御コード格納手段に該選択料理と対応付けて追加格納できる。それゆえに、該電子レンジで加熱調理可能な料理の全てについて対応の加熱制御コードを加熱制御コード格納手段に追加格納できるから、料理を加熱調理する際には、加熱制御コード格納手段から対応の加熱制御コードを読出すだけで加熱調理が可能となり、使い勝手に優れる。
【００２４】
上述の電子レンジシステムにおいて、選択料理は、複数の料理のうちの所望料理であってもよい。したがって、ホストコンピュータのホームページ情報から供給（ダウンロード）された加熱制御コードを、該所望料理と対応付けて加熱制御コード格納手段に追加して格納できるから、該所望料理を加熱調理する際には、対応の加熱制御コードは加熱制御コード格納手段から読出すだけでよくなって、ホームページ情報から供給（ダウンロード）する手間は省略できる。
【００２５】
この発明の他の局面に係る電子レンジは、料理を加熱調理するために加熱動作する電子レンジであって、複数の料理のそれぞれに対応して、該料理を加熱調理するための電子レンジの異機種間で共通の加熱制御コードが格納されたコード格納手段と、加熱動作を実行するための該電子レンジの機種に適合した手順を示す手順情報が複数種類格納された手順格納手段と、複数料理のうち外部操作により選択された料理に対応したコード格納手段中の加熱制御コードに基づいて、手順格納手段から読出された１種類以上の手順情報に従い、加熱動作を実行する。
【００２６】
したがって、料理の加熱制御コードを開発する際には、電子レンジの１つの機種において該料理の加熱動作に適用される１種類以上の手順情報を特定する加熱制御コードを決定するだけでよくて、各機種に適合した複数種類の加熱情報などを準備する必要はなくなるから、加熱制御コードの開発が容易となり、実用的である。
【００２７】
また、電子レンジの機種が増えたとしても、ある料理の加熱制御コードは１種類でだけでよいから、加熱制御コードの開発がより容易となる。
【００２８】
また、電子レンジでは、加熱動作を実行するために加熱制御コードにより特定される手順情報は、該電子レンジの機種に適合した手順を示すものであるから、常に、各機種独自の最適の手順に従い加熱調理を行なうことができて実用性に優れる。
【００２９】
上述の電子レンジにおいて、複数種類の手順情報には、１種類以上の加熱シーケンス情報が含まれて、加熱シーケンス情報は、加熱動作を実行するための該電子レンジの機種に適合した１種類以上のシーケンスの組合わせからなるように構成されてもよい。
【００３０】
したがって、手順情報には、加熱動作を実行するための該電子レンジの機種に適合した１種類以上のシーケンスの組合わせからなるものが含まれるので、電子レンジの機種に適合した加熱シーケンスに基づいて、常に、各機種独自の最適の加熱調理を行なうことがこできる。
【００３１】
上述の電子レンジにおいて、加熱シーケンス情報により示される１種類以上のシーケンスの組み合わせは、シーケンスを制御するための１種類以上のパラメータを含み、１種類以上のパラメータの値は、指示された任意量に従い可変調整される。
【００３２】
したがって、加熱調理に適用される１種類以上のシーケンスの組合せにおいては、たとえば、該シーケンスに従う加熱動作がより的確に、また調理対象に応じて臨機応変になされるように、シーケンス制御パラメータ値を指示された任意量に従って可変調整できるので、利便性に優れるとともに、常に、適正な加熱調理状態を得ることができる。
【００３３】
上述の電子レンジにおいては、１種類以上のパラメータには、加熱動作の期間を示す期間パラメータがさらに含まれてもよい。
【００３４】
したがって、シーケンスに従う加熱動作がより的確に、また調理対象に応じて臨機応変になされるように、シーケンス制御のための加熱動作期間を示す期間パラメータ値を指示された任意量に従って可変調整できる。
【００３５】
上述の電子レンジにおいて、任意量は、電子レンジの異機種間について共通していてもよく、また電子レンジの機種毎に異なってもよい。
【００３６】
したがって、電子レンジ機種にかかわらず調整量が一律であるような種類のパラメータの値は、共通した任意量で調整でき、また、電子レンジ機種により調整量がまちまちであるような種類のパラメータの値は、各機種独自の調整量で調整できて、機種によらず常に最適なシーケンス制御を行なわせることができる。
【００３７】
上述の電子レンジにおいては、通信網を介して供給される所望料理に対応した加熱制御コードを含む料理情報を受信する受信部をさらに有して、コード格納手段には、外部操作による選択の対象外とされる１つ以上の料理のそれぞれに対応して、加熱制御コードが格納されてもよい。
【００３８】
したがって、コード格納手段には、外部操作による選択の対象外とされる１つ以上の料理のそれぞれに対応して加熱制御コードを、言換えると、たとえば受信部により受信された所望料理に対応した加熱制御コードを格納することができる。
【００３９】
上述の電子レンジはさらに、移動自在なヒータを有して、複数種類の手順情報には、ヒータの移動量を指示する情報が含まれてもよい。
【００４０】
したがって、電子レンジで加熱調理が行なわれる際には、ヒータの移動量は、物理的な値でなくて、加熱制御コードにより特定することができる。それゆえに、加熱制御コードによりヒータの移動量を含む複数種類の手順情報を一括指定できて、便利である。
【００４１】
【発明の実施の形態】
以下、この発明の各実施の形態について説明する。
【００４２】
（実施の形態１）
図１は、この発明の実施の形態１による電子レンジシステムの概略構成図である。図２は、図１の各部のブロック構成を示す図である。
【００４３】
図１において、電子レンジシステムは宅外にはインターネット５とこれに接続されたホストコンピュータ４が設けられ、宅内には電子レンジ１、インターネット５にモデム６を介して接続されるパソコン（パーソナルコンピュータの略）２、およびパソコン２と電子レンジ１との間の信号を変換しながら通信を中継して両者を接続するための中継装置であり、かつＡＣアダプタ８から電源供給される中継ＢＯＸ３が設けられる。宅内において電子レンジ１と中継ＢＯＸ３とは３線ケーブル９を介して着脱自在に接続される。この接続時には、図示されるように３線ケーブル９の一端にあるコネクタＣＮが電子レンジ１の図示されない入出力端子に接続される。また、宅内においてパソコン２と中継ＢＯＸ３とはＲＳ−２３２Ｃに従って通信するため、ＲＳ−２３２Ｃケーブル７を介して着脱自在に接続される。なお、パソコン２は携帯型情報処理端末装置であってもよい。
【００４４】
宅外のホストコンピュータ４にはインターネット５を介してアクセスされる各種のホームページに関する情報が登録される。ホストコンピュータ４は該ホストコンピュータ４自体を集中的に制御および管理するための処理部４１、ホームページの画面を構成するための情報（以下、ホームページ情報という）を含む各種情報が格納されるメモリ領域であるホームページ格納部４２１を有するメモリ４２、入力部４３、出力部４４およびインターネット５と該ホストコンピュータ４とを通信接続するための通信部４５を含む。
【００４５】
ホストコンピュータ４は、ホームページ情報をインターネット５を介してパソコン２を含む外部の情報処理端末装置に供給するためのサーバとして機能する。
【００４６】
なお、ここでは、ホストコンピュータ４に登録された情報にアクセスするための通信網としてインターネット５を挙げているが、これに限定されない。つまり、専用または公衆の各種の通信網であってよい。
【００４７】
図２において電子レンジ１は制御部１０Ａと加熱部１０Ｂとを含む。制御部１０Ａはマイコン（マイクロコンピュータの略）１０、たとえばマスクＲＯＭ（リードオンリメモリの略）からなるメモリ１１Ａ、たとえば不揮発性メモリからなるメモリ１１Ｂ、表示部であるＬＣＤ（液晶ディスプレイ）パネル１３、ＬＣＤパネル１３を駆動するためのＬＣＤドライバ１２、コネクタＣＮが接続される入出力端子を含むＩ／Ｆ部（インタフェースの略）１４、外部操作可能な入力部１５、および該電子レンジ１の各部に電源を供給するための電源回路１６を含む。入力部１５とＬＣＤパネル１３とは一体的に設けられるタッチパネルを構成する。
【００４８】
電子レンジ１は製品開発の過程において各種の機能面で改良が加えられる。その結果、同じ料理を加熱調理する場合であっても加熱の方法、加熱のための出力レベル（電力レベル、温度など）および加熱時間などが電子レンジ１の機種ごとに異なったものとなる。したがって電子レンジ１は該電子レンジ１の機種に適応した調理のための情報をストアしている。
【００４９】
加熱部１０Ｂは、マイコン１０の制御に従いメモリ１１Ａまたは１１Ｂに格納された情報に従う加熱調理のための加熱動作をする。加熱動作のために加熱部１０Ｂはセンサ部６０、ブザー６１、リレーなど６２、リレーなど６２を介してマイコン１０により制御されるターンテーブルモータ６３、庫内において上下方向に自在に移動可能なヒータ６４、および加熱のためのマイクロ波を発生するマグネトロン６５を含む。なお、ここでは加熱部１０Ｂにおける加熱動作は公知の技術に従うので詳細説明は省略する。
【００５０】
パソコン２はＣＰＵ（中央処理装置の略）２０、各種プログラムを含む情報が格納される不揮発性のメモリ２１、表示部２２、出力部２３、外部操作可能な入力部２４、ＲＳ−２３２Ｃケーブル７とＣＰＵ２０とを接続するためのＲＳ−２３２Ｃポート２５およびモデム６とＣＰＵ２０とを接続するためのＩ／Ｆ部２６を含む。
【００５１】
中継ＢＯＸ３は、マイコン３０、たとえばフラッシュメモリからなるメモリ３１、ＲＳ−２３２Ｃケーブル７とマイコン３０とを接続するための送受信部３２、３線ケーブル９とマイコン３０とを接続するためのＩ／Ｆ部３３、および各部に電源供給するための電源回路３４を含む。マイコン３０は、図示されないＣＰＵおよびメモリを含んで構成される。
【００５２】
なお、３線ケーブル９を介しての通信にはＵＡＲＴ（Universal Asynchronous Receiver Transmitterの略）が採用される。また、中継ＢＯＸ３が設けられない場合には、電子レンジ１はパソコン２と直接に通信することができる。
【００５３】
ここではホストコンピュータ４のメモリ４２から、ユーザが使用する電子レンジ１の機種にマッチした料理情報を受理して、電子レンジ１のメモリ１１にダウンロードするための所定プログラムＰＲＯは、パソコン２のメモリ２１にストアされている。
【００５４】
なお、電子レンジ１は、インターネット５を介して公開される料理情報による加熱調理機能の他に、標準で固有に備えている各種の料理の料理情報（ゆでる、温め、解凍のための情報などを含む）による加熱調理機能も有している。この標準で固有に備えられる料理情報を、以下、標準料理情報と呼び、標準料理情報に対応の料理の名称を標準料理名という。
【００５５】
ここで、ホストコンピュータ４の中でインターネット５を介して公開される料理情報を用いて宅内の電子レンジ１にて調理する手順を以下に説明する。
【００５６】
図３は、図２のメモリ１１Ａの記憶内容を示す図である。メモリ１１Ａには、加熱ブロックデータ群１１１、パターンデータ群１１２、加熱モードデータ群１１３およびヒータ降下時間テーブル１１４が格納される。
【００５７】
加熱ブロックデータ群１１１には複数個の標準料理のそれぞれについて、標準料理名ＨＮと、加熱パターンコードＨＰＣが登録される。加熱ブロックデータ群１１１において標準料理名ＨＮを参照すると、“アップルパイ”については（＊）が付与されて、この標準料理は後述する裏メニューに含まれることが指示されている。加熱データブロック群１１１において、その他の標準料理は後述する表メニューに含まれる。加熱パターンコードＨＰＣは、電子レンジ１の異なる機種間であっても、同一の料理名であれば、同一のものが適用される。
【００５８】
パターンデータ群１１２は、複数の異なる加熱動作のシーケンスを示す加熱パターンデータＦＬｉ（ｉ＝１、２、３、…、ｎ）が登録される。加熱パターンデータＦＬｉで示されるシーケンスは、複数の異なる他の加熱パターンデータＦＬｉの組み合わせによるシーケンスを示す場合もある。
【００５９】
加熱モードデータ群１１３は、電子レンジ１の複数種類の加熱モードのそれぞれに対応して、該加熱モードに関する設定情報を示す加熱モードデータＭＤｉを含む。加熱モードデータＭＤｉのそれぞれには、対応する加熱モードを一意に指定するための加熱モードコードＭＯＤｉが登録される。また、加熱モードデータＭＤｉのそれぞれには、加熱モードコードＭＯＤｉに追加して、オーブン温度ＨＥＴ、加熱時間（秒）ＨＴＭおよびマイクロ波出力レベルＭＯＬが登録される。オーブン温度ＨＥＴは該動作モードにおけるヒータ６４の加熱によるオーブンの温度を示す。加熱時間（秒）ＨＴＭは、該動作モードにおけるヒータ６４またはマグネトロン６５を用いた加熱調理のための時間期間を示す。マイクロ波出力レベルＭＯＬは該動作モードにおけるマグネトロン６５によるマイクロ波の出力レベルを示す。図示されるように、たとえば加熱モードデータＭＤ１〜ＭＤ４のそれぞれには、加熱モードコードＭＯＤｉとしてトースター、レンジ、オーブンおよびグリルのそれぞれを示すコードが割当てられている。
【００６０】
図４（Ａ）と（Ｂ）は、図３のヒータ降下時間テーブル１１４の内容例を示す図である。図４（Ａ）には、電子レンジ１の機種が“Ａ”であった場合のヒータ降下時間テーブル１１４の内容が示される。また、図４（Ｂ）には、電子レンジ１の機種が“Ｂ”であった場合のヒータ降下時間テーブル１１４の内容例が示される。電子レンジ庫内にあるヒータ６４を下降させることが可能で、下降量をたとえば、下降のためのヒータ６４の駆動時間で管理している場合には、ヒータ６４の下降量を、具体的な駆動時間値ではなく、料理名ＭＮをキーワードとして管理することができる。
【００６１】
図４（Ａ）と（Ｂ）のヒータ降下時間テーブル１１４のそれぞれは、複数の料理のそれぞれについて料理名ＭＮ、ヒータ位置コードＨＬＣおよびヒータ降下時間データＨＤＴが対応付けて登録される。同一の料理名ＭＮについて電子レンジ１の異機種間で共通した値であるヒータ位置コードＨＬＣは、対応するヒータ降下時間データＨＤＴを一意に特定するための情報である。ヒータ降下時間データＨＤＴは、対応する料理名ＭＮの料理が電子レンジ１にてヒータ６４を用いて加熱調理される場合に、ヒータ６４が初期位置から降下を開始して加熱のための適切な位置にまで降下し、降下終了するまでの、ヒータ６４の降下のための駆動時間を示す。
【００６２】
図４（Ａ）および（Ｂ）に示されるように、電子レンジ１の機種が異なれば、同一料理名ＭＮの料理を加熱調理する場合であっても、対応のヒータ降下時間データＨＤＴは異なることがわかる。たとえば、料理名ＭＮが“トースト”である場合、機種Ａの電子レンジ１の場合、ヒータ降下時間データＨＤＴは１０７であり、機種Ｂの電子レンジ１のヒータ降下時間データＨＤＴは１３３である。
【００６３】
本実施の形態では、電子レンジ１の入力部１５を外部操作することによって、ユーザが選択できる複数の標準料理名ＨＮからなるメニューを“表メニュー”と呼び、選択できないメニューを“裏メニュー”と呼ぶ。したがって、表メニューとして登録されている標準料理名ＨＮに対応の加熱パターンコードＨＰＣに基づいて、対応する加熱パターンデータＦＬｉ、モードデータＭＤｉおよびヒータ降下時間データＨＤＴを特定して、読出し、これら読出されたデータに基づいて対応の標準料理を電子レンジ１にて加熱調理することができるが、裏メニューとして登録されている標準料理名ＨＮに対応の加熱パターンコードＨＰＣを用いても該電子レンジ１では該料理を加熱調理することはできない。図３では、たとえば、機種Ａの電子レンジ１では“アップルパイ”が裏メニューとして登録されているが、機種“Ｂ”の電子レンジ１では、たとえば“食パン、シフォンケーキおよびスポンジケーキ”などが裏メニューとして登録されているかもしれない。このように電子レンジ１の機種ごとに加熱機能が異なるために、機種ごとに裏メニューとして登録される標準料理名ＨＮも異なることになる。
【００６４】
このような裏メニューの標準料理名ＨＮは、電子レンジ１の入力部１５から選択できなくても、インターネット５などを介して電子レンジ１について新たな加熱調理動作を行なわせようとする目的で使用されることを想定して、基本的な料理についての加熱パターンのすべてを電子レンジ１に予め記憶しておくことが望ましい。そのため、電子レンジ１では、裏メニューの料理は選択できないが、これらに対応する加熱パターンコードＨＰＣ、加熱パターンデータＦＬｉ、ヒータ降下時間データＨＤＴおよび加熱モードデータＭＤｉはメモリ１１Ａに予め登録されている。
【００６５】
なお、メモリ１１Ａの内容は該電子レンジ１の工場出荷時などにおいて予め書込まれていると想定する。
【００６６】
次に、加熱パターンデータＦＬｉの作成について説明する。
一般に調理は、「野菜をゆでる、肉を解凍する、沸騰させる、材料を煮込む、材料をかき混ぜるおよび材料を裏返す」などの基本的な動作とその基本動作の変形や組合せによりなされる。そこで、電子レンジ１の各機種ごとに、たとえば「野菜をゆでる」ための最適な固有の加熱制御方法があり、それらを基本の加熱パターンデータＦＬｉとして開発する。このように加熱パターンデータＦＬｉやこの加熱パターンデータＦＬｉを複数個組合せた加熱パターンデータＦＬｉを電子レンジ１の各機種ごとに開発し、標準料理のレシピをこれら加熱パターンデータＦＬｉで構成する。これにより、将来、新しい加熱制御方法が開発された場合には、後述するように、インターネット５を介してホームページ格納部４２１から受信した情報により、この新しい加熱制御方法を実現することが可能となる。
【００６７】
図５は、ある機種の電子レンジにおける標準料理“ゆで野菜”の加熱制御を示すフローチャートである。ユーザが、電子レンジ１の入力部１５を操作して標準料理名ＨＮ“ゆで野菜”を指定して、加熱調理を指示すると、加熱ブロックデータ群１１１の対応する加熱パターンコードＨＰＣに基づいて、対応の加熱パターンデータＦＬｉ、加熱モードデータＭＤｉおよびヒータ降下時間データＨＤＴが必要に応じて読出されて、読出されたこれらデータが設定されるとともに、読出された対応の加熱パターンデータＦＬｉに従う図５の加熱動作のシーケンスがマイコン１０の制御の下に開始される。
【００６８】
まず、マグネトロン６５に通電が行なわれてマイクロ波の出力がなされる（Ｓ１ａ、Ｓ２ａ）。次に、センサ部６０中の重量センサにより電子レンジ１の庫内に入れられた食器を含む食材（野菜）の重量が測定されて、測定された重量は変数Ｇに格納される（Ｓ３ａ）。次に、変数Ｇは「ゆで野菜」専用の計算式「Ａ１×Ｇ＋Ｂ」に代入されて、電子レンジ１の庫内に入っている野菜の分量に応じた理想的な加熱時間が算出されて変数Ｔｉ１に設定される（Ｓ４ａ）。
【００６９】
次に変数Ｔｉ１の値をカウントダウンしながら、Ｔｉ１＜０となるまでマイクロ波を用いた加熱調理が継続されて、変数Ｔｉ１＜０となったときには、マグネトロン６５によるマイクロ波出力がＯＦＦされて加熱調理は終了する（Ｓ５ａ〜Ｓ７ａ）。
【００７０】
このような図５のフローチャートに従うシーケンスは、電子レンジ１で野菜をゆでる場合の、１つの加熱パターンデータＦＬｉとして、予めメモリ１１Ａのパターンデータ群１１２に記憶させれている。この記憶はたとえば電子レンジ１の工場出荷時などに行なわれる。
【００７１】
図６は、ある機種の電子レンジ１にて「煮込み」調理を行なう場合の加熱制御のフローチャートである。ここでは、図５に示されるフローチャートに従うシーケンスが加熱パターンデータＦＬｉとして予め登録されていると想定する。
【００７２】
ユーザが、電子レンジ１の入力部１５を操作して標準料理名ＨＮ“煮込み”を指定して、加熱調理を指示すると、対応する加熱パターンコードＨＰＣに基づいて、対応の加熱パターンデータＦＬｉ、加熱モードデータＭＤｉおよびヒータ降下時間データＨＤＴが必要に応じて読出されて、読出されたこれらデータが設定されるとともに、対応の加熱パターンデータＦＬｉに従う図６の加熱動作のシーケンスがマイコン１０の制御の下に開始される。
【００７３】
まず、加熱動作が開始されると、センサ部６０中の重量センサにより電子レンジ１の庫内に入れられた食器を含む食材の重量が測定されて、測定された重量は変数Ｇに格納される（Ｓ１ａとＳ２ａ）。
【００７４】
次に、重量が設定された変数Ｇは標準料理「煮込み」専用の計算式「Ａ２×Ｇ＋Ｂ２」に代入されて、電子レンジ１の庫内に入っている食材の分量に応じた理想的な煮込みのための加熱調理時間データが該式に基づいて算出されて、変数Ｔｉ２に設定されて、その後、マグネトロン６５は駆動されて、マイクロ波の出力が行なわれる（Ｓ３およびＳ４）。
【００７５】
その後、マグネトロン６５の通電のＯＮ／ＯＦＦを決定するための固定周期を示す時間データ（たとえば、３２秒）が変数Ｃに設定される（Ｓ５）。
【００７６】
その後、変数Ｔｉ２およびＣのカウントダウンが、変数Ｔｉ２＜０となるまで繰返される（Ｓ６でＮＯ、Ｓ７）。そして、１６＜Ｃが成立する期間は、マグネトロン６５は通電状態とされてマイクロ波出力は継続されて、ヒータ６４はＯＦＦされて（Ｓ８でＯＮ、Ｓ１０）、一方、Ｃ＜１６が成立する期間は、マグネトロン６５は非通電状態とされて、マイクロ波出力はＯＦＦされるとともにヒータ６４は通電されてＯＮ状態にされ、加熱のためのパワーが下げられるように制御が行なわれて、煮込み用の加熱が行なわれる（Ｓ８でＹＥＳ、Ｓ９）。
【００７７】
その後、変数Ｔｉ２＜０が成立すると、マグネトロン６５およびヒータ６４の通電は停止して、加熱調理は終了する（Ｓ１２）。
【００７８】
このようなフローチャートに従うシーケンスを、この電子レンジ１で煮込み調理を行なうときの１つの加熱パターンＦＬｉとして、予め、たとえば電子レンジ１の工場出荷時などにおいてメモリ１１Ａのパターンデータ群１１２に登録しておく。
【００７９】
図７は、図５と図６に示される加熱パターンを組合せた場合のフローチャートである。たとえば図７には、標準料理名ＨＮ「シチュー」の加熱調理を行なう場合の加熱制御のためのフローチャートが示される。
【００８０】
動作においてユーザが電子レンジ１の入力部を操作して標準料理名ＨＮ「シチュー」を指定し、加熱調理の開始を指示すると、対応する加熱パターンコードＨＰＣが加熱ブロックデータ群１１１から読出されて、読出された加熱パターンコードＨＰＣに基づいて、加熱パターンＦＬｉ、モードデータＭＤｉおよびヒータ降下時間データＨＤＴが必要に応じて読出されるので、これらデータに基づいて各種データが電子レンジ１において設定されるとともに、読出された加熱パターンデータＦＬｉで示されるシーケンスに従う加熱調理が開始される。ここでは、図７に示されるような加熱パターンデータＦＬｉが読出される。
【００８１】
図７のフローチャートを見ても分かるように、図５と図６の加熱パターンデータＦＬｉが組合わせられた加熱パターンデータＦＬｉが、標準料理名ＨＮ「シチュー」の加熱調理のためのシーケンスに採用されているから、標準料理名ＨＮ「シチュー」の加熱調理がなされる際には、図５で示される「ゆで野菜」のためのシーケンスが実行されて、その後シチューとして煮込むための図６で示されるシーケンスが実行される。
【００８２】
なお、ここでは、ゆで野菜のための加熱パターンデータＦＬｉに従う加熱調理において、食材の重量測定（Ｓ３ａ）が行なわれているので、その後に連続して行なわれる煮込みのための加熱調理のシーケンスにおいては、食材の重量測定（Ｓ２）は省略されている。
【００８３】
このように電子レンジ１の機種に固有の加熱パターンデータＦＬｉを、標準料理のための加熱シーケンスを構成するのに組合せて用いることができる。
【００８４】
なお、上述した図５〜図７のフロチャートにおいては、シーケンス制御のための各種変数Ａ１、Ｂ１、Ａ２およびＢ２の値は、電子レンジ１の機種に固有の値である。
【００８５】
（実施の形態２）
前述した実施の形態１の「ゆで野菜」の加熱パターンデータＦＬｉのシーケンスでは測定した食材の重量（Ｇ）に基づき、最適な加熱時間（Ｔｉ１）を算出しているが、これは、電子レンジ１の基本的な加熱制御手順をベースとした補正に相当する。この補正がない場合は、電子レンジ１が表示する材料の分量または電子レンジ１の料理ブックに掲載されている材料の分量を必ず守る必要があり、加熱調理時間は、常に同じ長さとなり、最適に調理できるように補正することができない。
【００８６】
上述は加熱調理の対象となる食材の分量に基づく加熱調理時間の補正であったが、ここでは、加熱調理時間を、ユーザが指示する分だけ補正した後に、補正された加熱時間に基づいて加熱調理が行なわれる。図８は、本実施の形態２に係る「ゆで野菜」の基本的な加熱パターンにおいて加熱調理時間が一律に増減されるフローチャートである。ここでは、加熱調理時間の増減は、基本的な加熱パターンデータＦＬｉのそれに対して、電子レンジ１の異機種に共通して一律に１０％だけ行なわれる。
【００８７】
まず、動作においてユーザが電子レンジ１の入力部１５を操作して、標準料理名ＨＮとして「ゆで野菜増」または「ゆで野菜減」を指定して加熱調理の開始が指示されると、マグネトロン６５に通電が行なわれてマイクロ波の出力がなされ、食材の重量測定が行なわれ、「ゆで野菜」専用の計算式（Ａ１×Ｇ＋Ｂ１）を用いて基本的な加熱パターンデータＦＬｉに対応の加熱調理時間（Ｔｉ１）が算出される（Ｓ１ａ〜Ｓ４ａ）。
【００８８】
その後、マイコン１０は、指定された標準料理名ＨＮ中にキーワード“時間増”が含まれていれば、「１．１×Ｔｉ１」の計算を行ない、キーワード「時間減」が含まれていれば、「０．９×Ｔｉ１」の計算を行ない、この計算結果を加熱調理時間データＴｉ１として最終的に決定する（Ｓ２０〜Ｓ２３）。その後は、図５と同様にして、加熱調理時間を示す変数Ｔｉ１のカウントダウンが行なわれながら加熱調理が進行して、Ｔｉ１＜０になればマグネトロン６５によるマイクロ波出力がＯＦＦされて加熱調理は終了する（Ｓ５ａ〜Ｓ７ａ）。
【００８９】
上述した図８のフローチャートにおいては、電子レンジ１に異機種間で一律に設定された値（１０％）だけ加熱調理時間データＴｉ１の増減が図られているが、基本の加熱パターンデータＦＬｉの加熱調理時間データＴｉ１を任意の係数を用いて補正するようにしてもよい。この任意係数は、電子レンジ１の機種毎に個別に設定される。また、この任意係数は、電子レンジ１で加熱調理される料理名毎に異ならせてもよい。
【００９０】
図９は、本実施の形態２による標準料理名ＨＮ「ゆで野菜」の基本的な加熱パターンデータＦＬｉにおいて、「強」、「弱」といったキーワードを考慮して加熱調理時間が補正されるフローチャートである。
【００９１】
動作において、ユーザが電子レンジ１の入力部を操作して基本料理名ＨＮ「ゆで野菜強」または「ゆで野菜弱」を指定して加熱調理の開始を指示すると、マグネトロン６５に通電が行なわれて食材の重量測定が行なわれ、「ゆで野菜」専用の計算式に重量値（Ｃ）が代入されて、基本的な加熱パターンデータＦＬｉに対応の加熱調理時間（Ｔｉ１）が算出される（Ｓ１ａ〜Ｓ４ａ）。
【００９２】
次に、入力部１５を介して指定された基本料理名ＨＮがキーワード「強設定」を含んでいれば、「（１＋ａ）×Ｔｉ１」の計算が行なわれ、キーワード「弱設定」を含んでいれば「（１−ａ）×Ｔｉ１」の計算が行なわれて、この計算結果が最終的な加熱調理時間データＴｉ１として設定される（Ｓ２４〜Ｓ２７）。
【００９３】
その後は、前述と同様にして加熱調理時間データＴｉ１のカウントダウンが行なわれながら加熱調理が進行して、Ｔｉ１＜０となれば、マイクロ波の出力がＯＦＦされて加熱調理が終了する。
【００９４】
図９に示されるように、加熱出力を、加熱調理時間データＴｉ１の補正を行なうことによって強弱制御することができる。
【００９５】
（実施の形態３）
図１０は、本実施の形態３において、標準料理名ＨＮ「ハンバーグ」が指定されて加熱調理が行なわれる場合の処理フローチャートである。
【００９６】
動作において、ユーザが、電子レンジ１の入力部１５を操作して標準料理名ＨＮ「ハンバーグ」を指定して、加熱調理の開始を指示すると、対応する加熱パターンコードＨＰＣに基づいて、対応の加熱パターンデータＦＬｉ、加熱モードデータＭＤｉおよびヒータ降下時間データＨＤＴが必要に応じて読出されて、読出されたこれらデータが設定されるとともに、対応の加熱パターンデータＦＬｉに従う図１０の加熱動作のシーケンスがマイコン１０の制御の下に開始される。
【００９７】
まず、ヒータ６４に通電が行なわれて、加熱動作が開始し、その後食材の重量測定が行なわれ、測定して得られた重量は変数Ｇに設定されて、次に変数Ｇを用いて加熱調理時間データが「Ａ３×Ｇ＋Ｂ３」を用いて算出されて、変数Ｔｉ３に設定される（Ｓ３０〜Ｓ３３）。
【００９８】
このようにして加熱調理時間データＴｉ３を算出後、よりよい仕上がり状態となるようにヒータ６４が、庫内の食材方向に降下する。ヒータ６４は所定時間降下することにより、適切な位置にて固定されて加熱調理が行なわれる。
【００９９】
ヒータ６４を適切な位置にまで降下させるために、ヒータ降下時間テーブル１１４が参照されて該標準料理名「ハンバーグ」に対応のヒータ降下時間データＨＤＴが求められている。具体的には、たとえば電子レンジ１が機種Ａの場合、標準料理名ＨＮ「ハンバーグ」の場合、対応の加熱パターンコードＨＰＣにより特定されるヒータ位置コードＨＬＣは「Ｈ−ＨＭＢＧ」であるから、これに対応するヒータ降下時間データＨＤＴ（４７ｕｎｉｔ）（ただし１ｕｎｉｔは、たとえば２０ｍｓｅｃとする）が読出されて、電子レンジ１が機種Ｂの場合は、図４（Ｂ）のテーブル１１４から、同様にして（９９ｕｎｉｔ）が読出されて、変数Ｔｈｔに設定される（Ｓ３４）。
【０１００】
次に、図示されないヒータ６４を降下させるためのモータが、リレーなど６２を介して駆動されるので、ヒータ６４の降下が変数Ｔｈｔがカウントダウンされながら行なわれて、その後「Ｔｈｔ＜０」になるとヒータ６４の降下が停止してヒータ６４は適切な位置に固定される（Ｓ３５〜Ｓ３７）。
【０１０１】
その後、加熱調理時間データＴｉ３がカウントダウンされながら、ヒータ６４を用いた加熱調理が行なわれるが、「Ｔｉ３＜０」になるとヒータ６４の出力はＯＦＦされて一連の加熱調理は終了する（Ｓ３８〜Ｓ４０）。
【０１０２】
このように電子レンジ１の庫内に可動なヒータ６４を保有することにより、可動ヒータ６４の移動量を時間などの物理量でなく、加熱パターンコードＨＰＣで指定される電子レンジ１の異機種間で共通のヒータ位置コードＨＬＣで扱うことにより、電子レンジ１の異なる機種間であっても、同一の標準料理名ＨＮに対するヒータ位置コードＨＬＣを共有化できる。
【０１０３】
（実施の形態４）
ここで、ホームページのサーバであるホストコンピュータ４の中でインターネット５を介して公開される料理情報を用いて宅内の電子レンジ１にて調理する手順を以下に説明する。
【０１０４】
図１１、図１２および図１３は、図１のホストコンピュータ４のホームページ格納部４２１に格納されるホームページ情報に従って表示されるホームページ画面の例を示す図である。図１１、図１２および図１３には、本出願人がインターネットを介して提供しているホームページの画面例が示されている。ユーザによりパソコン２が操作されて、インターネット５を介してホストコンピュータに対応の所定アドレスがアクセスされると、図１１のホームページ画面がパソコン２の出力部２３に表示されて、図１１のホームページ画面の矢印Ａで示される項目「電子レンジ」をユーザが入力部２４によりクリックすることにより、次に図１２に示されるホームページ画面が示される。図１２のホームページ画面には、６月の毎日についての料理がカレンダー形式で示されている。ここでは、一例として「６月のメニューカレンダー」のタイトルを有するホームページ画面が示されているが、次画面、または前画面が指定されることによりたとえば１年分についての毎月のメニューカレンダーがホームページ画面にて示される。
【０１０５】
次に、ユーザが図１２のホームページ画面の矢印Ａで示される料理をクリックして指定すると、次に図１３のホームページ画面が表示されて、指定された料理の仕上がり状態を示す映像、材料の情報、作り方の情報などが表示される。ここでは、図１３のホームページ画面例のみを示しているが、予め準備された、たとえば図１２のホームページ画面で示される１年分の各料理について上述した図１３のホームページ画面のためのホームページ情報がホームページ格納部４２１に予め準備されている。
【０１０６】
そして、ユーザが図１３のホームページ画面を見て、矢印Ａの項目「調理データのダウンロード」を指定してクリックすると、応じてホストコンピュータ４からインターネット５を介して図１３に示される料理に関して電子レンジ１を介してユーザに表示すべきデータと電子レンジ１の加熱部１０Ｂを用いて加熱調理するために用いられる加熱データがパソコン２にダウンロードされる。
【０１０７】
なお、パソコン２のメモリ２１には、矢印Ａの項目のクリックに応じた機能を有効とするための専用プログラムＰＲＯが予めインストールされている。
【０１０８】
図１４（Ａ）と（Ｂ）は、ホストコンピュータ４において作成された各料理についての料理情報ＭＩを含むホームページ情報を示す図である。なお、図示されるホームページ情報ＨＭＤは図１３のホームページ画面に対応の情報であり、ホームページ画面にて表示されてホームページ画面を構成するための画面データＤＳ１５と電子レンジ１にて表示される表示データＤＳ１３および電子レンジ１の加熱動作を制御するための加熱パターンコードＤＳ１４１からなる料理情報ＭＩとからなる。
【０１０９】
画面データＤＳ１５は、図１３のホームページ画面にてユーザに対して表示される画面を構成するデータであり、矢印Ａで示される項目“調理データのダウンロード”は図１４（Ａ）のデータＤＳ１５中の転送ボタンＢ１に対応する。
【０１１０】
したがって、ユーザにより図１３の矢印Ａの項目“調理データのダウンロード”が指定されてクリックされると、図１４（Ａ）の転送ボタンＢ１がクリックされてホストコンピュータ４の処理部４１は、対応する表示データＤＳ１３および加熱パターンコードＤＳ１４１からなる料理情報ＭＩを通信部４５とインターネット５を介してパソコン２にダウンロードする。
【０１１１】
表示データＤＳ１３は、対応する料理の料理名ＭＮと、必要な食材を示す材料データＩＤと作り方の手順を示す作り方データＪＤとを含む。材料データＩＤと作り方データＪＤは、ホストコンピュータ４において所定手順に従い予め作成されたデータである。
【０１１２】
図１４（Ｂ）には、図１４（Ａ）に示された料理情報ＭＩを形式変換して得られるデータリストが示される。図１４（Ｂ）では、料理情報ＭＩを構成する複数種類のデータのそれぞれについて、そのデータ内容ＤＣと、アドレスＡＤ、および容量ＣＡが示される。図１４（Ａ）の表示データＤＳ１３と加熱パターンコードＤＳ１４１のそれぞれは、ホストコンピュータ４の処理部４１にて図１４（Ｂ）に示されるようにして電子レンジ１のマイコン１０が認識可能な形式のデータに変換されて、ホームページ格納部４２１に格納されている。
【０１１３】
図１４（Ｂ）のデータはインターネット５を介してパソコン２にダウンロードされる場合には、処理部４１によりさらに特定のコードに変換される。処理部４１はインターネット５を介してホームページ情報ＨＭＤがアクセスされると、転送ボタンＢ１がクリックされてダウンロード要求されていないか判定し、クリックされた場合はアクセスされたホームページ情報ＨＭＤに対応の料理情報ＭＩはパソコン２にダウンロードされる。
【０１１４】
図１５は、図１のパソコン２における料理情報のダウンロードに関する操作概要を示すフローチャートである。図において宅内のユーザはパソコン２の入力部２４を操作してインターネット５を介してホームページのホストコンピュータ４をアクセスするので（図１５のＦ１）、ホストコンピュータ４のホームページ格納部４２１中のホームページ情報ＨＭＤの画面データＤＳ１５を含むホームページ画面のためのデータがパソコン２に送信されて図１１のホームページ画面が出力部２３に表示される（Ｆ２）。図１１のホームページ画面の矢印Ａで示される項目“電子レンジ”が入力部２４によりクリックされると、画面が切換わり図１２のホームページ画面が表示される（Ｆ３とＦ４）。
【０１１５】
次に、図１２のホームページ画面で、矢印Ａが示す“豆腐バーグ”が入力部２４にてクリックされると画面が切換わり、図１３に示す“豆腐バーグ”の画面が表示される（Ｆ５とＦ６）。
【０１１６】
次に、ユーザが図１３の矢印Ａが指示する項目“調理データのダウンロード”を入力部２４にてクリックするとホストコンピュータ４中のホームページ格納部４２１における対応する図１４（Ａ）と（Ｂ）の表示データＤＳ１３と加熱パターンコードＤＳ１４１からなる料理情報ＭＩはパソコン２に送信され、メモリ２１に一旦格納される（Ｆ８、Ｆ９）。
【０１１７】
パソコン２のメモリ２１には、購入した中継ＢＯＸ３に付属のフレキシブルディスクから専用プログラムＰＲＯをインストールすることによりホームページ画面の転送ボタンＢ１が操作されたことによる機能が有効となる。専用プログラムＰＲＯはダウンロードする料理情報ＭＩの指定とダウンロードされた料理情報ＭＩの格納先の指定を自動的に行なって、転送ボタンＢ１を１回クリックするだけで料理情報ＭＩをダウンロードする機能を有するとともに、パソコン２に一旦格納された料理情報ＭＩを中継ＢＯＸ３に送信する機能を有する。
【０１１８】
パソコン２と電子レンジ１の通信方式は一般的なものが必要とされるので、安定した双方向通信を行なうために規格化されているＲＳ−２３２Ｃ方式がここでは採用されている。
【０１１９】
図１６は、図１の中継ＢＯＸ３の動作の概略を示すフローチャートである。
パソコン２側において前述したようにして料理情報ＭＩのダウンロード要求が生じるとパソコン２側から中継ＢＯＸ３に通信要求が送信されてパソコン２からＲＳ−２３２Ｃ方式に従って表示および加熱データＤＳ１３および加熱パターンコードＤＳ１４１からなる料理情報ＭＩが送信されて、中継ＢＯＸ３の送受信部３２およびマイコン３０を介してメモリ３１に格納される（図１６のＦ１０〜Ｆ１２）。その後、マイコン３０は電子レンジ１側に料理情報の格納が完了した旨の情報格納完了通知を送信する（Ｆ１２１）。
【０１２０】
なお、メモリ３１には、複数の料理についての料理情報ＭＩを格納することができる。
【０１２１】
電子レンジ１のマイコン１０からの要求により、中継ＢＯＸ３のマイコン３０はメモリ３１に格納しているすべての料理名ＭＮをケーブル９を介して電子レンジ１のマイコン１０に送信する（Ｆ１３とＦ１４）。
【０１２２】
その後、電子レンジ１のマイコン１０からの指示により、中継ＢＯＸ３内のマイコン３０はメモリ３１に格納されている１つ以上の料理情報ＭＩの中から、指定された料理名ＭＮに対応する表示データＤＳ１３および加熱パターンコードＤＳ１４１を電子レンジ１のマイコン１０に送信する（Ｆ１６）。
【０１２３】
図１７は、図１の電子レンジの動作の概略を示すフローチャートである。図１８（Ａ）〜（Ｄ）は、図１７のフローチャートにおける電子レンジ側の表示画面例を説明する図である。図１９は、図１７のフローチャートにおける中継ＢＯＸ側のメモリ３１の格納内容例を示す図である。
【０１２４】
図１８（Ａ）〜（Ｄ）では、図２の入力部１５とＬＣＤパネル１３とが一体的に構成されてなるタッチパネルの表示画面例が示されている。図１８（Ａ）の初期画面では、電子レンジ１にて加熱調理可能な標準料理名ＨＮが一覧表示されている。電子レンジ１ではインターネット５とパソコン２および中継ＢＯＸ３を介してホームページのホストコンピュータ４から料理情報ＭＩを受信して表示するために、図１８（Ｂ）の画面において、インターネットキー１７４が表示されて、操作される。インターネットキー１７４が操作されると、図１８（Ｃ）の画面が表示される。図１８（Ｂ）では、図１７の手順にしたがって、中継ＢＯＸ３から受信した料理名ＭＮが一覧表示されている。図１８（Ｄ）の画面には、受信された料理名ＭＮ、材料データＩＤおよび作り方データＪＤが表示される料理名表示領域１７５、材料表示領域１７６および作り方表示領域１７７が示されるとともに、受信された加熱パターンデータＤＳ１４１に従って電子レンジ１にて加熱調理を開始させるために操作されるスタートキー１７３が示される。
【０１２５】
中継ＢＯＸ３のメモリ３１には、たとえば最大５つの料理情報ＭＩが格納可能であり、図１９ではインターネット５とパソコン２を介してホームページのホストコンピュータ４から受理した５つの料理情報ＭＩが予め格納されている。各料理情報ＭＩは、料理名ＭＮ、材料データＩＤ、作り方データＪＤおよび加熱パターンコードＤＳ１４１からなる。
【０１２６】
図１７の電子レンジ１の動作を図１８（Ａ）〜（Ｄ）と図１９を参照して説明する。なお、中継ＢＯＸ３のメモリ３１には図１９の内容が予め格納されていると想定する。
【０１２７】
まず、ユーザにより電子レンジ１の電源回路１６に関連の図示されない電源スイッチが操作されて電子レンジ１に対して電源供給されると、図１８（Ａ）の画面がＬＣＤパネル１３に表示される（Ｆ１６１）。
【０１２８】
次に、ユーザが図１のコネクタＣＮを電子レンジ１の図示されない入出力端子に接続するので、中継ＢＯＸ３が電子レンジ１に接続される。このとき、メモリ３１に図１９で示されるような１つ以上の料理情報ＭＩが格納されていることに応じて、中継ＢＯＸ３のマイコン３０から情報格納完了通知がケーブル９を介して電子レンジ１のマイコン１０に送信される。マイコン１０は、情報格納完了通知を受信して、図１８（Ｂ）に示されるように、インターネットキー１７４が反転表示などされてその表示態様が変更される。ユーザはインターネットキー１７４の表示態様が変更されていることに応じて、中継ＢＯＸ３のメモリ３１に既に料理情報ＭＩが格納完了している旨を知ることができる（Ｆ１６３）。
【０１２９】
ユーザは、中継ＢＯＸ３のメモリ３１に既に料理情報ＭＩが格納されている旨を示す図１８（Ｂ）のインターネットキー１７４の表示態様を確認して、インターネットキー１７４を操作するとマイコン１０はケーブル９を介して中継ＢＯＸ３のマイコン３０にすべての料理名ＭＮを要求する（Ｆ１７、Ｆ１８）。
【０１３０】
マイコン３０はすべての料理名ＭＮの要求に応答して、図１９のメモリ３１からすべての料理名ＭＮを読出して、ケーブル９を介して電子レンジ１に送信するので、電子レンジ１のマイコン１０はすべての料理名ＭＮｉを受信して、図１８（Ｃ）のようにＬＣＤパネル１３に表示する（Ｆ１９〜Ｆ２０）。
【０１３１】
図１８（Ｃ）のように表示されたすべての料理名ＭＮのうち、ユーザにより、たとえば矢印Ａで示される“豆腐バーグ”が操作（タッチ）されて指定されると、マイコン１０は指定された料理名ＭＮ（“豆腐バーグ”）に対応の表示データＤＳ１３と加熱パターンコードＤＳ１４１をケーブル９を介して中継ＢＯＸ３に要求する（Ｆ２１とＦ２２）。
【０１３２】
中継ＢＯＸ３のマイコン３０は、電子レンジ１からの料理名ＭＮ（“豆腐バーグ”）に対応のデータ要求に応答して、メモリ３１から料理名ＭＮ（“豆腐バーグ”）に対応する表示データＤＳ１３（料理名ＭＮ３、材料データＩＤおよび作り方データＪＤ）と加熱パターンコードＤＳ１４１を読出し送信するので、電子レンジ１のマイコン１０はこの表示データＤＳ１３と加熱パターンコードＤＳ１４１を受信して一旦、内部メモリに書込み格納させる（Ｆ２２とＦ２３）。
【０１３３】
そして、マイコン１０は指定された料理の加熱調理を開始させるためのユーザの指示入力を促すために、図１８（Ｄ）の画面をＬＣＤパネル１３に表示する（Ｆ２４）。図１８（Ｄ）スタートキー１７３が操作されると加熱パターンコードＤＳ１４１に従う加熱部１０Ｂによる加熱調理が開始される。図１８（Ｄ）には受信された表示データＤＳ１３中の料理名ＭＮ、材料データＩＤおよび作り方データＪＤが料理名表示領域１７５、材料表示領域１７６および作り方表示領域１７７にそれぞれ表示される。
【０１３４】
ホストコンピュータ４から供給される料理情報ＭＩには、図１４（Ａ）および（Ｂ）で示されたように、加熱パターンコードＤＳ１４１が含まれて、加熱パターンコードＤＳ１４１を受信した電子レンジ１では、受信した加熱パターンコードＤＳ１４１で指示される加熱パターンデータＦＬｉ、加熱モードデータＭＤｉおよびヒータ位置データＨＤＴをメモリ１１Ａから必要に応じて読出し、読出され加熱パターンデータＦＬｉを含むデータに従った加熱動作が行なわれる。
【０１３５】
図２０（Ａ）と（Ｂ）は、ホストコンピュータ４において作成された各料理についての料理情報ＭＩの他の例と電子レンジ1において設定された情報を示す図である。料理名ＭＮが「スポンジケーキ」であって、加熱パターンコードＤＳ１４１として「Ｍ−ＳＰＯＮＧ」を有した図２０（Ａ）の料理情報ＭＩがダウンロードされた場合には、電子レンジ１では次のような加熱動作が行なわれる。
【０１３６】
つまり、電子レンジ１では、中継ＢＯＸ３側から与えられた加熱パターンコードＤＳ１４１を受理して、受理した加熱パターンコードＤＳ１４１で示される加熱パターンデータＦＬｉをパターンデータ群１１２から読出すとともに、同様にして加熱パターンコードＤＳ１４１（Ｍ−ＳＰＯＮＧ）で示される加熱モードデータＭＤｉを加熱モードデータ群１１３から読出し、読出されたこれら加熱モードデータＭＤｉおよび加熱パターンデータＦＬｉを用いて、加熱調理が行なわれる。たとえば電子レンジ１が機種Ａの場合、図２０（Ｂ）に示されるように「加熱モード：上下火オーブン、ヒータ６４により得られるオーブンの温度：１７０℃、加熱時間（秒）：Ａａ×Ｇ＋Ｂａが、スポンジケーキを加熱調理するためのデータとして得られ、これら得られたこれらデータと読出された加熱パターンデータＦＬｉに従うシーケンスとに基づいて最適な加熱調理が行なわれる。一方、電子レンジ１の機種がＢの場合、図２０（Ｂ）に示されるように、加熱モード：マイクロ波および上下火オーブン、ヒータ６４によるオーブンの温度：１６０℃、加熱時間（秒）：Ａｂ×Ｇ＋Ｂｂおよびマイクロ波の出力レベル７００Ｗがスポンジケーキを加熱調理するためのデータとして得られ、得られたこの加熱データと読出された加熱パターンデータＦＬｉに従うシーケンスとに基づいて、電子レンジ１において最適な加熱調理が行なわれる。
【０１３７】
図２１（Ａ）と（Ｂ）は、ホストコンピュータ４において作成された各料理についての料理情報ＭＩのさらなる他の例と電子レンジ1において設定された情報を示す図である。図２１（Ａ）では、ホストコンピュータ４からダウンロードされた料理情報ＭＩは、料理名ＭＮが「ホイル焼き」に対応するものであって、加熱パターンコードＤＳ１４１として「Ｍ−ＨＯＩＲ：Ｈ−ＨＯＩＲ」が設定されている。
【０１３８】
電子レンジ１にて図２１（Ａ）の料理情報ＭＩ中の加熱パターンコードＤＳ１４１に従って加熱調理が行なわれる際には、前述と同様にして加熱パターンコードＤＳ１４１に対応したデータがメモリ１１Ａから読出される。たとえば、電子レンジ１の機種がＡの場合、加熱パターンコード（Ｍ−ＨＯＩＲ）に基づいて、パターンデータ群１１２から対応の加熱パターンデータＦＬｉが読出されるとともに、加熱モードデータ群１１３から対応の加熱モードデータＭＤｉが読出される。また、加熱パターンコード（Ｈ−ＨＯＩＲ）に基づいて、ヒータ降下時間テーブル１１４（図４（Ａ）参照）から、対応のヒータ位置コードＨＬＣで示されるヒータ降下時間データＨＤＴが読出される。
【０１３９】
これにより、機種Ａの電子レンジ１の場合には、図２１（Ｂ）で示されるように「加熱モード：トースター、加熱時間（秒）：Ａａ×Ｇ＋Ｂａ、ヒータ降下時間：４９ｕｎｉｔ」が加熱調理のためのデータとして得られて、このデータと読出された加熱パターンデータＦＬｉのシーケンスとに基づいて、該電子レンジ１で「ホイル焼き」についての最適な加熱のためのヒータ６４の位置が確保されて、加熱調理が行なわれる。
【０１４０】
同様にして、電子レンジ１の機種がＢの場合は、「加熱モード：トースター、加熱時間：Ａｂ×Ｇ＋Ｂｂ、ヒータ降下時間：９０ｕｎｉｔ」が加熱調理のためのデータとして得られて、このデータと読出された加熱パターンデータＦＬｉのシーケンスとに基づいて、該電子レンジ１において最適な加熱とヒータ６４の位置が確保されて、加熱調理が行なわれる。
【０１４１】
（実施の形態５）
本実施の形態では、電子レンジ１が出荷された後も新しい加熱パターンが開発された場合には、インターネット５を経由してホストコンピュータ４側からパソコン２または中継ＢＯＸ３などを介して加熱パターンのデータを電子レンジ１のメモリ１１Ｂにダウンロードして記憶することができる。
【０１４２】
加熱パターン方式の基本は、電子レンジ１の機種ごとに最適な加熱制御データ、すなわち加熱パターンデータＦＬｉおよび加熱モードデータＭＤｉおよびヒータ降下時間データＨＤＴを有し、それを電子レンジ１の異なる機種間で共用される加熱パターンコードで指定することにある。よって、ここで、インターネット５を経由してダウンロードされる加熱パターンコードＤＳ１４１により特定される加熱パターンデータＦＬｉ、加熱モードデータＭＤｉおよびヒータ降下時間データＨＤＴは機種限定の加熱情報である。ホストコンピュータ４のホームページからダウンロードされた新しい加熱パターンコードＤＳ１４１を、電子レンジ１のメモリ１１Ｂに追加記憶させることで、電子レンジ１において標準料理メニューの他に、ここに記憶された加熱パターンコードＤＳ１４１を用いた新規のメニューを加熱調理することができる。
【０１４３】
メモリ１１Ｂへのデータの記憶は次のように行なわれる。つまり、ユーザが、図１２および図１３の画面を確認して所望料理に対応の料理情報ＭＩのダウンロードを要求すると、中継ＢＯＸ３のメモリ３１には、図１９に示される形式に従い、所望料理の料理情報ＭＩが格納される。ユーザは、図１８（Ｃ）の料理名ＭＮの一覧表示画面にて、所望料理の料理情報ＭＩがメモリ３１に格納されていることを確認して、所望料理名ＭＮを、入力部１５を操作して指定することで、指定された料理名ＭＮと対応の加熱パターンコードＤＳ１４１の要求が中継ＢＯＸ３に送信される。中継ＢＯＸ３のマイコン３０は、この要求を受信するので、要求された料理名ＭＮと対応の加熱パターンコードＤＳ１４１をメモリ３１から読出して、電子レンジ１に送信する。電子レンジ１のマイコン１０は、要求した料理名ＭＮと対応の加熱パターンコードＤＳ１４１を受信して、メモリ１１Ｂに書込む。
【０１４４】
図２２と図２３のそれぞれは、機種Ａと機種Ｂの電子レンジ１のメモリ１１Ｂのそれぞれに、新しい加熱パターンコードが登録された状態を示す図である。図示されるように、メモリ１１Ａには、標準料理名ＨＮと対応の加熱パターンコードＨＰＣが記憶されている状態において、新たな料理名ＭＮ、すなわち「焼き豚」、「蒸らし」および「おこわ」と、これらに対応した加熱パターンコードＤＳ１４１とが受信されて、メモリ１１Ｂに格納されている。
【０１４５】
電子レンジ１では、メモリ１１Ａまたは１１Ｂに記憶された複数の料理名中から所望の料理名ＨＮまたはＭＮを入力部１５を操作して指定すると、対応の加熱パターンコードＨＰＣまたはＤＳ１４１がメモリ１１Ａまたは１１Ｂから読出されて、読出された該加熱パターンコードに従って対応の加熱パターンデータＦＬｉ、加熱モードデータＭＤｉ（加熱時間、ヒータ６４によるオーブンの温度のデータなど）およびヒータ６４の降下時間データＨＤＴが必要に応じて決定されることにより、決定された加熱パターンデータＦＬｉのシーケンスに従い電子レンジ１において、機種が異なっても、所望料理について常に最適な仕上がり状態を得ることができる。
【０１４６】
（実施の形態６）
次に実施の形態６について説明する。
【０１４７】
本実施の形態では、中継ＢＯＸ３が省略されて、電子レンジとパソコンとが直接に通信可能なように、中継ＢＯＸ３の機能がパソコンに設けられる場合が説明される。図２４は、この発明の実施の形態６による電子レンジシステムの概略構成図である。図２５は、図２４の電子レンジ１Ａとパソコン２Ａとのブロック構成を示す図である。
【０１４８】
図２４では、電子レンジ１Ａとパソコン２Ａのそれぞれは、両者間にＩｒＤＡ（Infrared Data Associationの略）による無線通信を行なうために赤外線受発光部６６と２７を備える。図２４の電子レンジ１Ａとパソコン２Ａのそれぞれと図２の電子レンジ１とパソコン２のそれぞれとを比較し異なる点は電子レンジ１Ａが図２のＩ／Ｆ部１４に代替して赤外線受発光部６６に関連のＩｒＤＡＩ／Ｆ部１４１を設けパソコン２Ａが図２のＲＳ−２３２Ｃポート２５に代替して赤外線受発光部２７に関連のＩｒＤＡＩ／Ｆ部２５１を設けた点にある。電子レンジ１Ａとパソコン２Ａのその他の構成は図２のそれらと同様であり説明を省略する。このようにＩｒＤＡを用いた無線通信が行なわれるので、電子レンジシステムにおいてケーブル配線の手間が省略されてシステムを容易に敷設することができる。
【０１４９】
本実施の形態では、パソコン２Ａに、上述した各実施の形態で説明された中継ＢＯＸ３の機能が設けられることになるから、このような構成であっても、上述した各実施の形態で示された特徴を得ることができる。なお、ここでは、該電子レンジシステムの動作に関する詳細説明は省略される。
【０１５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１５１】
【発明の効果】
本発明に係る電子レンジシステムでは、ホストコンピュータ側で電子レンジにダウンロードする新たな料理の料理データを開発する際には、電子レンジの１つの機種において該料理の加熱動作に適用される１種類以上の手順情報を特定する加熱制御コードを決定して該料理の料理データに登録するだけで良く、各機種に適合した複数種類の加熱情報を準備する必要はなくなるから、ホストコンピュータ側における料理データの作成、ならびにホームぺージ情報の作成が容易となり、実用的である。
【０１５２】
このようなことから、該電子レンジシステムに適用される電子レンジの機種が増えたとしても、ホームページ情報におけるある料理の料理データの加熱制御コードは１種類だけでよいから、ホストコンピュータにおいてホームページ情報のためのメモリ拡張は必要とされない。
【０１５３】
また、該システムの電子レンジでは、加熱動作を実行するために加熱制御コードにより特定される手順情報は、該電子レンジの機種に適合した手順を示すものであるから、常に、各機種独自の最適の手順に従い加熱調理を行なうことができて実用性に優れる。
【０１５４】
また、本発明に係る電子レンジでは、料理の加熱制御コードを開発する際には、電子レンジの１つの機種において該料理の加熱動作に適用される１種類以上の手順情報を特定する加熱制御コードを決定するだけでよくて、各機種に適合した複数種類の加熱情報などを準備する必要はなくなるから、加熱制御コードの開発が容易となり、実用的である。
【０１５５】
また、電子レンジの機種が増えたとしても、ある料理の加熱制御コードは１種類でだけでよいから、加熱制御コードの開発がより容易となる。
【０１５６】
また、電子レンジでは、加熱動作を実行するために加熱制御コードにより特定される手順情報は、該電子レンジの機種に適合した手順を示すものであるから、常に、各機種独自の最適の手順に従い加熱調理を行なうことができて実用性に優れる。
【図面の簡単な説明】
【図１】  この発明の実施の形態１による電子レンジシステムの概略構成図である。
【図２】  図１の各部のブロック構成を示す図である。
【図３】  図２のメモリ１１Ａの記憶内容を示す図である。
【図４】  （Ａ）と（Ｂ）は、図３のヒータ降下時間テーブル１１４の内容例を示す図である。
【図５】  ある機種の電子レンジにおける標準料理“ゆで野菜”の加熱制御を示すフローチャートである。
【図６】  ある機種の電子レンジにて「煮込み」調理を行なう場合の加熱制御のフローチャートである。
【図７】  図５と図６に示される加熱パターンを組合せた場合のフローチャートである。
【図８】  本実施の形態２に係る「ゆで野菜」の基本的な加熱パターンにおいて加熱調理時間が一律に増減されるフローチャートである。
【図９】  本実施の形態２による標準料理名ＨＮ「ゆで野菜」の基本的な加熱パターンデータＦＬｉにおいて、「強」、「弱」といったキーワードを考慮して加熱調理時間が補正されるフローチャートである。
【図１０】  本実施の形態３において、標準料理名ＨＮ「ハンバーグ」が指定されて加熱調理が行なわれる場合の処理フローチャートである。
【図１１】  図１のホストコンピュータ４のホームページ格納部４２１に格納されるホームページ情報に従って表示されるホームページ画面の例を示す図である。
【図１２】  図１のホストコンピュータ４のホームページ格納部４２１に格納されるホームページ情報に従って表示されるホームページ画面の例を示す図である。
【図１３】  図１のホストコンピュータ４のホームページ格納部４２１に格納されるホームページ情報に従って表示されるホームページ画面の例を示す図である。
【図１４】  （Ａ）と（Ｂ）は、ホストコンピュータ４において作成された各料理についての料理情報ＭＩを含むホームページ情報を示す図である。
【図１５】  図１のパソコン２における料理情報のダウンロードに関する操作概要を示すフローチャートである。
【図１６】  図１の中継ＢＯＸ３の動作の概略を示すフローチャートである。
【図１７】  図１の電子レンジの動作の概略を示すフローチャートである。
【図１８】  （Ａ）〜（Ｄ）は、図１７のフローチャートにおける電子レンジ側の表示画面例を説明する図である。
【図１９】  図１７のフローチャートにおける中継ＢＯＸ側のメモリ３１の格納内容例を示す図である。
【図２０】  （Ａ）と（Ｂ）は、ホストコンピュータ４において作成された各料理についての料理情報ＭＩの他の例と電子レンジ１において設定された情報を示す図である。
【図２１】  （Ａ）と（Ｂ）は、ホストコンピュータ４において作成された各料理についての料理情報ＭＩのさらなる他の例と電子レンジ１において設定された情報を示す図である。
【図２２】  機種Ａの電子レンジ１のメモリ１１Ｂに、新しい加熱パターンコードが登録された状態を示す図である。
【図２３】  機種Ｂの電子レンジ１のメモリ１１Ｂに、新しい加熱パターンコードが登録された状態を示す図である。
【図２４】  この発明の実施の形態６による電子レンジシステムの概略構成図である。
【図２５】  図２４の電子レンジ１Ａとパソコン２Ａとのブロック構成を示す図である。
【符号の説明】
１，１Ａ  電子レンジ、２，２Ａ  パソコン、３  中継ＢＯＸ、４  ホストコンピュータ、５  インターネット、３１  メモリ、６４  ヒータ、１１４  ヒータ降下時間テーブル、４２１  ホームページ格納部、ＦＬｉ  加熱パターンデータ、ＭＤｉ  加熱モードデータ、ＨＭＤ  ホームページ情報、Ｂ１  転送ボタン、ＭＩ  料理情報、ＤＳ１３  表示データ、ＨＰＣ，ＤＳ１４１  加熱パターンコード、ＤＳ１５  画面データ群、ＤＳ１６，ＭＴＤ  機種データ、ＨＮ，ＭＮ料理名、ＩＤ  材料データ、ＪＤ  作り方データ。
【図１】
0003921036.tif 000002
【図２】
0003921036.tif 000003
【図３】
0003921036.tif 000004
【図４】
0003921036.tif 000005
【図５】
0003921036.tif 000006
【図６】
0003921036.tif 000007
【図７】
0003921036.tif 000008
【図８】
0003921036.tif 000009
【図９】
0003921036.tif 000010
【図１０】
0003921036.tif 000011
【図１１】
0003921036.tif 000012
【図１２】
0003921036.tif 000013
【図１３】
0003921036.tif 000014
【図１４】
0003921036.tif 000015
【図１５】
0003921036.tif 000016
【図１６】
0003921036.tif 000017
【図１７】
0003921036.tif 000018
【図１８】
0003921036.tif 000019
【図１９】
0003921036.tif 000020
【図２０】
0003921036.tif 000021
【図２１】
0003921036.tif 000022
【図２２】
0003921036.tif 000023
【図２３】
0003921036.tif 000024
【図２４】
0003921036.tif 000025
【図２５】
0003921036.tif 000026